(57)【特許請求の範囲】
【請求項１】
原子力発電所における気水分離器等貯蔵プール・原子炉・使用済燃料プール等の貯留槽の周囲に設置する溢水防止フェンスであり、所定の高さを備えている立設板の上部に、貯留槽側に向けて傾斜している波返し板を固定し、
波返し板の傾斜角度は、水平面に対しておよそ３０度乃至６０度前後であり、波返し板の長さは、１３８.６ｍｍ乃至２４０ｍｍであり、波返し板の液面への投影長さは、１２０ｍｍ乃至２０７．８ｍｍであることを特徴とする貯留槽の溢水防止フェンス。
【請求項２】
立設板に、波返し板を２段に固定している請求項１に記載の貯留槽の溢水防止フェンス。
【請求項３】
立設板の上方部分と波返し板の下方部分に当接するように、略三角形状の補強板を固定している請求項１に記載の貯留槽の溢水防止フェンス。
【請求項４】
気水分離器等貯蔵プール・原子炉・使用済燃料プール等の貯留槽の隅角部分に位置している波返し板を、大きく形成している請求項１に記載の貯留槽の溢水防止フェンス。
【発明の詳細な説明】
【技術分野】
【０００１】
本発明は、原子力発電所における気水分離器等貯蔵プールを連接した原子炉や、使用済燃料プール等の上面が開放している貯留槽の廻りに設置されるもので、貯留層内の液体が、大きな地震を原因として生じる激しいスロッシング現象により溢水してしまう事態の発生を防止した、貯留槽の溢水防止フェンスに関するものである。
【背景技術】
【０００２】
原子力発電所における気水分離器等貯蔵プール、原子炉、使用済燃料プール等の貯留槽Ｐは、例えば、核燃料集合体を移動等するために、また、適正な冷却状態を維持するために、図８に示すように、貯留槽Ｐの上面が開放される。この貯留槽Ｐの廻りには、施設の重要設備に影響を与えないようにするために、所定のフェンス１００が設置されている。
【０００３】
このフェンス１００は、比較的に軽微な地震を原因として生じるスロッシング現象により、貯留槽Ｐ内の液体Ｗに小さな波が発生した場合であっても、これに充分に対応できる高さを備えており、発生した波がフェンス１００を越えて貯留槽Ｐの外へ溢水するのを防止できる。
【０００４】
同様に、比較的に軽微な地震を原因として生じるスロッシング現象に対応するために、図９に示すように、貯留槽Ｐにおける縁部分の高さを床面１０１よりも嵩上げした堰１０２を形成したり、或いは、貯留槽Ｐに収容する液体Ｗの量を減らして、貯留槽Ｐ内の液面を低くすることにより、貯留槽Ｐ内の液面と、貯留槽Ｐにおける堰１０２の上端部までの距離を大きくとる措置も施されている。
【先行技術文献】
【特許文献】
【０００５】
【特許文献１】特になし
【発明の概要】
【発明が解決しようとする課題】
【０００６】
しかしながら、図８・図９に示すフェンス１００は、比較的に軽微な地震を原因として生じるスロッシング現象には対応できるものの、予想を超えるような大きな地震を原因として生じる激しいスロッシング現象には充分に対応することができず、溢水してしまう事態が発生し得る場合があった。
【０００７】
スロッシング現象は、大量の液体Ｗを収容しているプール等の貯留槽Ｐが、地震による地震動を受けると、この地震動に共震して貯留槽Ｐ内の液面がうねって揺れ動くような波（液面の上下運動）が発生する現象であるが、予想を超えるような大きな地震が起こると、貯留槽Ｐがこの地震動に共震して、貯留槽Ｐ内の液面に著しく大きな波（液面の上下運動）が生じることがある。
【０００８】
例えば、使用済燃料プール等の貯留槽Ｐは、核燃料集合体を水中において移動できるよう、核燃料集合体の長さ寸法の２倍以上の深さに設定されていることが多い。この様に非常に深さのある貯留槽Ｐで大量の液体Ｗを収容している状態において、大きな地震が起こると、貯留槽Ｐ内の液面に著しく大きな波（液面の上下運動）が生じるのである。
【０００９】
この様な大きな波（液面の上下運動）が貯留槽Ｐの内壁面に沿って生じると、図１０（ａ）（ｂ）に示すように、大量の液体Ｗがフェンス１００の上方に向けて勢い良く押し上げられたような状態となる。
【００１０】
そして、図１０（ｃ）（ｄ）に示すように、上方に押し上げられた大量の液体Ｗがしぶきをあげながら落下するときに、液体Ｗの一部がフェンス１００を超えることにより、溢水してしまう事態が発生し得るのである。
【００１１】
また、貯留槽Ｐの隅角部分においては、貯留槽Ｐの内壁面同士が所定の角度で隣り合って閉鎖されたような状態となっていることから、図１１に示すように、スロッシング現象により比較的に小さな波（液面の上下運動）が生じた場合であっても、大量の液体Ｗがフェンス１００の上方に向けて勢い良く押し上げられたような状態となり、落下時にフェンス１００を超えて溢水してしまう事態が発生し得る状況となっていた。
【００１２】
この様なスロッシング現象による溢水を防止する措置として、貯留槽Ｐの内部に種々のスロッシングを抑制する機構を設け、貯留槽Ｐにおいて激しいスロッシング現象が起きないようにする措置も存在する。
【００１３】
しかし、この様な措置は、新規のプラントのように建設の当初から講じていれば有効であるものの、既設のプラントにおいては、スロッシングを抑制する機構を新たに設置する追加の工事が必要となり、多額の建設費用を要する事になってしまう。また、設備停止の期間も、非常に長期化してしまう。
【００１４】
そこで、本発明は如上のような従来存した諸事情に鑑み創出されたもので、貯留槽の周囲に設置する立設板に、貯留槽側に向けて傾斜した波返し板を固定することにより、予想を超えるような大きな地震を原因として生じる激しいスロッシング現象により貯留槽内の液面に著しく大きな波（液面の上下運動）が生じた場合であっても、液体を貯留槽内に留めて、溢水してしまう事態の発生を防止した貯留槽の溢水防止フェンスを提供することを目的とする。
【課題を解決するための手段】
【００１５】
本発明は、原子力発電所における気水分離器等貯蔵プール・原子炉・使用済燃料プール等の貯留槽の周囲に設置する溢水防止フェンスであり、所定の高さを備えている立設板の上部に、貯留槽側に向けて傾斜している波返し板を固定し、波返し板の傾斜角度が、水平面に対しておよそ３０度乃至６０度前後であり、波返し板の長さが、１３８.６ｍｍ乃至２４０ｍｍであり、波返し板の液面への投影長さが、１２０ｍｍ乃至２０７．８ｍｍであることで、上述した課題を解決した。
【００１７】
さらに、立設板に、波返し板を２段に固定していることで、同じく上述した課題を解決した。
【００１８】
また、立設板の上方部分と波返し板の下方部分に当接するように、略三角形状の補強板を固定していることで、同じく上述した課題を解決した。
【００１９】
加えて、気水分離器等貯蔵プール・原子炉・使用済燃料プール等の貯留槽の隅角部分に位置している波返し板を、大きく形成していることで、同じく上述した課題を解決した。
【発明の効果】
【００２０】
本発明は、原子力発電所における気水分離器等貯蔵プール・原子炉・使用済燃料プール等の貯留槽の周囲に設置する溢水防止フェンスであり、所定の高さを備えている立設板の上部に、貯留槽側に向けて傾斜している波返し板を固定していることから、予想を超えるような大きな地震を原因として生じる激しいスロッシング現象により貯留槽内の液面に著しく大きな波（液面の上下運動）が生じた場合であっても、液体を貯留槽内に留めて、溢水してしまう事態の発生を防止することができる。
【００２１】
具体的には、非常に深さのある貯留槽で大量の液体を収容している状態において、大きな地震が起こると、貯留槽の内壁面に沿うようにして、貯留槽の液面に著しく大きな波（液面の上下運動）が生じ、大量の液体が立設板に沿って上方に向けて勢い良く押し上げられるような状態となる（図１０（ａ）（ｂ）参照）。
【００２２】
このとき、立設板の上端部に、貯留槽側に向けて傾斜している波返し板が存在することから、上方に向けて勢い良く押し上げられた液体が波返し板に衝突して強制的に貯留槽側に押し戻されて、貯留槽内に留まるのである（図１（ｂ）参照）。
【００２３】
また、波返し板の傾斜角度は、水平面に対しておよそ３０度乃至６０度前後であることで、上方に向けて勢い良く押し上げられた液体を波返し板に衝突させて、効率良く貯留槽側に押し戻すことができる。
【００２４】
さらに、立設板に、波返し板を２段に固定していることで、上方に向けて勢い良く押し上げられた液体Ｗを２段の波返し板に衝突させて、貯留槽側に確実に押し戻すことができる。
【００２５】
また、立設板の上方部分と波返し板の下方部分に当接するように、略三角形状の補強板を固定していることから、溢水防止フェンス全体の堅牢性を維持している。
【００２６】
加えて、気水分離器等貯蔵プール・原子炉・使用済燃料プール等の貯留槽の隅角部分に位置している波返し板を、大きく形成していることで、貯留槽の隅角部分において溢水してしまう事態の発生を防止することができる。
【００２７】
具体的には、貯留槽の隅角部分において大量の液体が上方に向けて勢い良く押し上げられたような場合（図１１参照）であっても、この隅角部分に、貯留槽側に向けて傾斜している大きな波返し板が存在することから、上方に向けて勢い良く押し上げられた液体が大きな波返し板に衝突して強制的に貯留槽側に押し戻されて、貯留槽内に留まるのである。
【００２８】
この他、本発明は、貯留槽の周囲に設置する溢水防止フェンスにより溢水してしまう事態の発生を防止することから、既設のプラントに事後的に講じることができる。
【００２９】
また、設置の手順も比較的に容易であることから、溢水防止フェンスを設置する工事期間を短縮でき、同時に、溢水防止フェンスの全体を安価に構築することもできる。
【００３０】
さらに、溢水防止フェンスを設置する際の、設備を停止する期間も極めて短いものとなる。
【００３１】
この様に、本発明は、予想を超えるような大きな地震を原因として生じる激しいスロッシング現象により、貯留槽内の液面に著しく大きな波（液面の上下運動）が生じた場合であっても、液体を貯留槽内に留めて、想定エリア外への溢水を確実に防止する措置として、極めて有効なものとなる。
【図面の簡単な説明】
【００３２】
【図１】溢水防止フェンスの形状を示すもので、（ａ）は立設板の上端部に、貯留槽側に向けて傾斜している波返し板を固定している溢水防止フェンスの構成を示す側面図、（ｂ）は地震を原因とするスロッシング現象により、上方に向けて勢い良く押し上げられた液体が、波返し板に衝突して強制的に貯留槽側に押し戻されて、貯留槽内に留まる状態を示す概略の側面図である。
【図２】溢水防止フェンスの配置例を示すもので、（ａ）は気水分離器等貯蔵プールや使用済燃料プール等の矩形状の貯留槽の周囲に沿うようにして、溢水防止フェンスを設置している状態を示す斜視図、（ｂ）は原子炉が存在している略円形の貯留槽の周囲に沿うようにして、溢水防止フェンスを設置している状態を示す斜視図である。
【図３】溢水防止フェンスにおける、種々の波返し板の構成を示す側面図である。
【図４】溢水防止フェンスにおける、種々の構成の波返し板がもたらす溢水量低減率を示す説明図である。
【図５】立設板の上方部分と波返し板の下方部分に当接するように、略三角形状の補強板を固定している状態を示す斜視図である。
【図６】立設板に、波返し板を２段に固定している状態を示す斜視図である。
【図７】貯留槽の隅角部分に位置している波返し板を、大きく形成している状態を示す斜視図である。
【図８】原子力発電所における気水分離器等貯蔵プール、原子炉、使用済燃料プール等の貯留槽の構成を示す斜視図である。
【図９】従来のフェンスの構成を示す側面図である。
【図１０】地震を原因として生じるスロッシング現象による貯留槽内の液体の状態を示すもので、（ａ）（ｂ）は、大きな波（液面の上下運動）が貯留槽の内壁面に沿って生じ、大量の液体がフェンスの上方に向けて勢い良く押し上げられて行く状態を示す概略の説明図、（ｃ）（ｄ）は、上方に押し上げられた大量の液体が落下するときに、液体の一部がフェンスを超えて溢水してしまう状態を示す概略の説明図である。
【図１１】貯留槽の隅角部分において、大量の液体がフェンスの上方に向けて勢い良く押し上げられている状態を示す概略の説明図である。
【発明を実施するための形態】
【００３３】
以下に、本発明を実施するための形態を、図面を参照して詳細に説明する。
【００３４】
本発明は、原子力発電所における気水分離器等貯蔵プール・原子炉・使用済燃料プール等の貯留槽Ｐの周囲に設置する、貯留槽Ｐの溢水防止フェンスＦである。
【００３５】
この溢水防止フェンスＦは、図１（ａ）に示すように、所定の高さを備えている立設板１と、波返し板２により構成されている。具体的には、立設板１の上端部に、貯留槽Ｐ側に向けて傾斜している波返し板２を固定しているのである。
【００３６】
立設板１の下端部は、図１（ａ）に示すように、ボルト部材等を用いて、貯留層Ｐの堰３に固定されている。この堰３は、貯留槽Ｐにおける縁部分の高さを、施設の床面４よりも嵩上げした部分である。
【００３７】
本発明に係る貯留槽Ｐの溢水防止フェンスＦは、立設板１の上端部に固定している波返し板２により、溢水を防止するものである。
【００３８】
即ち、使用済燃料プール等の非常に深さのある貯留槽Ｐで、大量の液体Ｗを収容している状態において、大きな地震が起こると、貯留槽Ｐの内壁面に添うようにして、貯留槽Ｐの液面に著しく大きな波（液面の上下運動）が生じ、大量の液体Ｗが立設板１に沿って上方に向けて勢い良く押し上げられるような状態となる（図１０（ａ）（ｂ）参照）。
【００３９】
しかし、溢水防止フェンスＦにおいては、立設板１の上端部に、貯留槽Ｐ側に向けて傾斜している波返し板２が存在することから、図１（ｂ）に示すように、上方に向けて勢い良く押し上げられた液体Ｗが波返し板２に衝突し、強制的に貯留槽Ｐ側に押し戻されて貯留槽Ｐ内に留まるのである。
【００４０】
そして、施設の全体としては、図２（ａ）に示すように、気水分離器等貯蔵プールや使用済燃料プール等の矩形状の貯留槽Ｐの周囲に沿うようにして、立設板１に波返し板２を固定している溢水防止フェンスＦを配置する。
【００４１】
同様に、図２（ｂ）に示すように、原子炉が存在している略円形の貯留槽Ｐの周囲に沿うようにして、立設板１に波返し板２を固定している溢水防止フェンスＦを配置する。
【００４２】
図３（ａ）に示す波返し板２の水平面に対する角度θ、波返し板２の長さＷ、波返し板２の高さＨ、液面への投影長さＷ´等は、以下の点を考慮して決定している。
【００４３】
角度θ…波返し板２の水平面に対する角度θは、３０度、６０度、９０度でそれぞれ実験を行い、好ましい角度を選択する。
【００４４】
波返し板２の長さＷ・波返し板２の高さＨ…波返し板２の長さＷ・波返し板２の高さＨは、溢水防止フェンスＦが、貯留槽Ｐ上を移動する燃料交換機に干渉するかどうかを考慮する。
【００４５】
具体的には、燃料交換機の主ホイスト格納レベルと、溢水防止フェンスＦとの垂直距離は、２７０ｍｍであるので、波返し板２の投影高さＨを、２５０ｍｍ以内とする。
【００４６】
また、使用済燃料貯蔵ラックと溢水防止フェンスＦとの水平距離は、最も近い所で２１４ｍｍであるので、液面への波返し板２の投影長さＷ´を２１４ｍｍ以内とする。
【００４７】
波返し板２の形状については、液面への投影長さＷ´が同じものを製作する。また、投影高さＨが同じ波返し板２を製作する。
【００４８】
以上の点を考慮すると、波返し板２の長さＷを、２４０ｍｍ以内にすることが好ましいものとなる。
【００４９】
そして、図４に示すように、Ｎｏ1，Ｎｏ２，Ｎｏ３，Ｎｏ４の異なる構成の波返し板２について、具体的な実験を行ったところ、Ｎｏ1，Ｎｏ２，Ｎｏ３の波返し板２について、顕著な溢水量の低減率％が得られることが判明した。
【００５０】
これらのことから、波返し板２の水平面に対する角度θは、およそ３０度乃至６０度前後、また、波返し板２の長さＷは、１３８.６ｍｍ乃至２４０ｍｍ、さらに、液面への投影長さＷ´は、１２０ｍｍ乃至２０７．８ｍｍ、であることが好ましい事実が判明している。
【００５１】
この他、図２（ａ）（ｂ）、図５に示すように、立設板１の上方部分と波返し板２の下方部分に当接するように、略三角形状の補強板５を固定しても良い。この補強板５を、所定の間隔を有するようにして立設板１に複数固定することにより、溢水防止フェンスＦ全体の堅牢性を維持している。
【００５２】
また、図６に示すように、立設板１に、波返し板２・２０を２段に固定しても良い。この２段の波返し板２・２０は、いずれも水平面に対する角度θが同一である。さらに、下方に位置している波返し２０は、その長さＷが、上方に位置している波返し２よりも短くなるように形成されている。また、下方に位置している波返し２０には、略三角形状に形成された小さめの補強板５０が固定されている。
【００５３】
加えて、図７に示すように、気水分離器等貯蔵プール・原子炉・使用済燃料プール等の貯留槽Ｐの隅角部分Ｃに位置している波返し板２００を、隣接している通常の波返し板２に比べて大きく形成しても良い。
【００５４】
この波返し板２００は、隣接している通常の波返し板２よりも上方に向けて突出している、左右の側板２０１，２０２により形成されている。波返し板２００は、貯留槽Ｐの隅角部分Ｃの上方を、左右の側板２０１，２０２によりすっぽりと覆うように配置されている。
【００５５】
その為、貯留槽Ｐの隅角部分Ｃにおいて大量の液体が上方に向けて勢い良く押し上げられたような場合であっても、この液体Ｗが大きな波返し板２に衝突して強制的に貯留槽Ｐ側に押し戻されて、貯留槽Ｐ内に留まるのである。
【産業上の利用可能性】
【００５６】
本発明に係る貯留槽の溢水防止フェンスは、貯留槽としての使用済燃料プールや原子炉廻り、気水分離器等の貯蔵プール廻りに設置されることの他に、様々な分野における貯留槽において、想定エリア外への溢水を確実に防止する措置として、幅広く利用することができる。
【符号の説明】
【００５７】
Ｆ…溢水防止フェンス
Ｐ…貯留槽
Ｗ…液体
１００…フェンス
１０１…床面
１０２…堰
１…立設板
２…波返し板
３…堰
４…床面
５…補強板
【図１】
0005569858.tif 000002
【図２】
0005569858.tif 000003
【図３】
0005569858.tif 000004
【図４】
0005569858.tif 000005
【図５】
0005569858.tif 000006
【図６】
0005569858.tif 000007
【図７】
0005569858.tif 000008
【図８】
0005569858.tif 000009
【図９】
0005569858.tif 000010
【図１０】
0005569858.tif 000011
【図１１】
0005569858.tif 000012